(57)【要約】      （修正有）【課題】蓄熱シートの蓄熱性能、強度の低下を抑えることができる床暖房構造体を提供する。【解決手段】本床暖房構造体は、基材１の上に蓄熱シート２が積層され、該蓄熱シートの上に面状発熱体３が積層され、該蓄熱シートの縁の少なくとも１辺以上が、面状発熱体の縁よりも、外側に存在することを特徴とする。このような構造であることにより、蓄熱シート２の縁は面状発熱体３による温度変化が抑えられ、固体‐液体変化による潜熱蓄熱材の移行を抑えることができる。特に、蓄熱シート２の外側へ潜熱蓄熱材が移行することを抑え、蓄熱シート２の蓄熱性能、強度の低下を抑えることができる。【選択図】図１
0003172273.tif 000002
【実用新案登録請求の範囲】
【請求項１】
基材の上に蓄熱シートが積層され、該蓄熱シートの上に面状発熱体が積層された床暖房構造体であって、
該蓄熱シートは、潜熱蓄熱材が高分子マトリックス中に分散したものであり、
該蓄熱シートの縁の少なくとも１辺以上が、面状発熱体の縁よりも、外側に存在することを特徴とする床暖房構造体。
【請求項２】
基材の上に蓄熱シートが積層され、該蓄熱シートの上に面状発熱体が積層され、該面状発熱体の上に床材が積層された床暖房構造体であって、
該蓄熱シートは、潜熱蓄熱材が高分子マトリックス中に分散したものであり、
該蓄熱シートの縁の少なくとも１辺以上が、面状発熱体の縁よりも、外側に存在することを特徴とする床暖房構造体。
【請求項３】
蓄熱シートの縁の周囲全体が、面状発熱体の縁よりも、外側に存在することを特徴とする請求項１または請求項２に記載の床暖房構造体。
【考案の詳細な説明】
【技術分野】
【０００１】
本考案は、床暖房構造体に関するものである。
【背景技術】
【０００２】
近年、床暖房システムにおいては、蓄熱シートを有するものが登場している。
これは、発熱体からの熱を一部蓄熱シートで蓄えることによって、電源をＯＦＦした後でも、長時間所定の温度付近で、温度維持できるものである。
このような蓄熱式の床暖房システムは、電源ＯＮ−ＯＦＦサイクルを少なくすることができ、また深夜電力による蓄熱も利用できる。
したがって、蓄熱式の床暖房システムは、消費電力を抑えることができ、省エネ効果に大きな役割を果たすことが可能である。
【先行技術文献】
【特許文献】
【０００３】
【特許文献１】特開２００４‐２００５５
【考案の概要】
【考案が解決しようとする課題】
【０００４】
このような蓄熱式の床暖房の構造としては、通常、床材と発熱体と蓄熱シートを基本とし、それらを積層して使用することが多い。
例えば、特許文献１では、熱源層の下に、潜熱蓄熱層が備えられた床暖房用蓄熱構造が記載されている。
しかしながら、潜熱蓄熱層の潜熱蓄熱材は、熱源層の熱により固体から液体また液体から固体へと状態変化を繰り返しているため、場合によっては、蓄熱性能の低下、潜熱蓄熱層の強度の低下を招くおそれがあった。
【課題を解決するための手段】
【０００５】
本考案は上記課題を解決するために、鋭意検討をした結果、蓄熱シートの縁の少なくとも１辺以上を、面状発熱体の縁よりも、外側に存在させることに想到し、本考案の完成に至った。
すなわち、面状発熱体の縁よりも外側に存在している蓄熱シート部分は発熱体の熱による潜熱蓄熱材の固体‐液体変化が抑えられ、潜熱蓄熱層の蓄熱性能低下、強度の低下を抑えることができる。
【０００６】
すなわち、本考案は以下の特徴を有するものである。
１．基材の上に蓄熱シートが積層され、該蓄熱シートの上に面状発熱体が積層された床暖房構造体であって、
該蓄熱シートは、潜熱蓄熱材が高分子マトリックス中に分散したものであり、
該蓄熱シートの縁の少なくとも１辺以上が、面状発熱体の縁よりも、外側に存在することを特徴とする床暖房構造体。
２．基材の上に蓄熱シートが積層され、該蓄熱シートの上に面状発熱体が積層され、該面状発熱体の上に床材が積層された床暖房構造体であって、
該蓄熱シートは、潜熱蓄熱材が高分子マトリックス中に分散したものであり、
該蓄熱シートの縁の少なくとも１辺以上が、面状発熱体の縁よりも、外側に存在することを特徴とする床暖房構造体。
３．蓄熱シートの縁の周囲全体が、面状発熱体の縁よりも、外側に存在することを特徴とする１．または２．に記載の床暖房構造体。
【考案の効果】
【０００７】
本考案の床暖房構造体は、蓄熱シートの蓄熱性能、強度の低下を抑えることができる。
【図面の簡単な説明】
【０００８】
【図１】（ａ）本考案床暖房構造体の一例（実施例１）である。また（ｂ）は（ａ）のＡ‐Ａ´断面図である。
【図２】（ａ）本考案比較例１の床暖房構造体の一例である。また（ｂ）は（ａ）のＡ‐Ａ´断面図である。
【符号の説明】
【０００９】
１：基材
２：蓄熱シート
３：面状発熱体
４：床材
【考案を実施するための形態】
【００１０】
以下、本考案を実施するための形態について説明する。
【００１１】
本考案の床暖房構造体は、図１に示すように、基材１の上に蓄熱シート２が積層され、蓄熱シート２の上に面状発熱体３が積層された床暖房構造体である。また、さらにその上に、床材４が積層されていてもよい。
本考案では、蓄熱シート２の縁の少なくとも１辺以上（好ましくは２辺以上、さらに好ましくは周囲全体）が、面状発熱体３の縁よりも、外側に存在するように積層されたことを特徴とするものである。
このような構造であることにより、蓄熱シート２の縁は面状発熱体３による温度変化が抑えられ、固体‐液体変化による潜熱蓄熱材の移行を抑えることができる。特に、蓄熱シート２の外側へ潜熱蓄熱材が移行することを抑え、蓄熱シート２の蓄熱性能、強度の低下を抑えることができる。
【００１２】
＜基材１＞
本考案の基材１は、通常使用するものであれば特に限定されない。基材１としては、例えば、コンクリート、モルタル、合板、または、既存のフローリング等が挙げられる。
【００１３】
＜蓄熱シート２＞
本考案の蓄熱シート２は、高分子マトリックス中に潜熱蓄熱材が分散したシート形状のものである。このような蓄熱シート２は、有機質弾性蓄熱体であり、エネルギー効率に優れている。
【００１４】
潜熱蓄熱材としては、無機塩、無機水和塩、および共融混合物等の無機潜熱蓄熱材、脂肪族炭化水素、長鎖アルコール、長鎖脂肪酸、長鎖脂肪酸エステル、ポリエーテル化合物、脂肪酸トリグリセリド等の有機潜熱蓄熱材が挙げられる。
【００１５】
高分子マトリックスを形成する樹脂としては、例えば、アクリル樹脂、シリコン樹脂、ポリエステル樹脂、アルキッド樹脂、エポキシ樹脂、ウレタン樹脂、フェノール樹脂、メラミン樹脂、アミノ樹脂、ポリカーボネート樹脂、フッ素樹脂、酢酸ビニル樹脂、塩化ビニル樹脂、ＡＢＳ樹脂、ＡＳ樹脂、あるいは、クロロプレンゴム、スチレン−ブタジエンゴム、アクリルニトリル−ブタジエンゴム、ブタジエンゴム等の合成ゴム等が挙げられる。
【００１６】
また蓄熱シート２には、潜熱蓄熱材、高分子マトリックスのほかに、顔料、骨材、粘性調整剤、可塑剤、緩衝剤、分散剤、架橋剤、ｐＨ調整剤、防腐剤、防黴剤、抗菌剤、防藻剤、湿潤剤、消泡剤、発泡剤、レベリング剤、顔料分散剤、沈降防止剤、たれ防止剤、凍結防止剤、滑剤、脱水剤、艶消し剤、紫外線吸収剤、酸化防止剤、光安定剤、繊維類、香料、化学物質吸着剤、光触媒、吸放湿性粉粒体、熱伝導性物質、難燃剤、層状粘土鉱物、相溶化剤等の添加剤が含まれいてもよい。
【００１７】
また、蓄熱シート２における潜熱蓄熱材含有率は、１０重量％以上、さらには３０重量％以上、さらには５０重量％以上とすることが好ましい。
【００１８】
蓄熱シート２の形状としては、三角形、四角形、多角形、あるいは円形等特に限定されないが、製造のしやすさ、施工のしやすさから四角形が好ましい。
【００１９】
＜面状発熱体３＞
本考案の面状発熱体３は、特に限定されず、公知の面状発熱体を使用することができる。面状発熱体３としては、例えば、ニクロム線を蛇行させて均熱板、絶縁体に配置したもの、電気抵抗発熱体と電極を積層したもの、ＰＴＣ面状発熱体等が挙げられる。
【００２０】
＜床材４＞
床材４としては、例えば、塩化ビニル、ポリオレフィン等の樹脂タイル及び樹脂シート、一枚板、フローリング材、合板、パーティクルボード、コルクタイル等の木質材料、繊維質材料、磁器タイル等のセラミックス材料、大理石、御影石、テラゾー等の石材料、モルタル等のコンクリート材料、ゴムやリノリウム等の天然樹脂タイル及び天然樹脂シート等を使用することができる。また畳、カーペット、じゅうたん等も床材として使用することができる。本考案では、特に、耐熱性を有するものが、より好ましい。
【００２１】
＜床暖房構造体＞
床暖房構造体においては、基材１の厚さが、好ましくは１ｍｍ〜３０ｍｍ程度、蓄熱シート２の厚さが、好ましくは１ｍｍ〜２０ｍｍ、より好ましくは２ｍｍ〜１５ｍｍ程度、面状発熱体３の厚さが、好ましくは５ｍｍ以下、より好ましくは０．５ｍｍ〜３ｍｍ程度、床材４の厚さが、好ましくは１〜２０ｍｍ、より好ましくは２〜１５ｍｍ程度であればよい。
【００２２】
本考案の床暖房構造体は、上記基材１、蓄熱シート２、面状発熱体３、さらに床材４から構成されるものであるが、その他耐熱層、均熱層、断熱層、また、面状発熱体による発熱を制御するための温度センサーと温度制御装置等により構成されたものが好ましい。
【００２３】
以下、床暖房構造体について、実施例、比較例を述べる。
（実施例１）
図１に示すように、基材１の上に、蓄熱シート２を積層し、さらにその上に面状発熱体３を積層した。さらにその上に、床材４を積層した。
実施例１では、長方形の面状発熱体３の４辺全ての縁よりも、蓄熱シート２の縁が外側となるように積層し、床暖房構造体を得た。
また、蓄熱シート２は、エポキシ系高分子マトリックス中に潜熱蓄熱材が分散した蓄熱シートである。この蓄熱シート２は、潜熱蓄熱材としてパラフィンワックス（相変化温度３６℃）を用い、さらにエポキシ樹脂とアミン硬化剤を混合し、エポキシ基とアミン基の反応によって得られるものである。なお、潜熱蓄熱材（パラフィンワックス）の含有量は５５重量％である。
【００２４】
（比較例１）
図２に示すように、基材１の上に、蓄熱シート２を積層し、さらにその上に面状発熱体３を積層した。さらにその上に、床材４を積層した。
比較例１では、長方形の面状発熱体３の４辺全ての縁と、蓄熱シート２の縁が同じ位置となるように積層し、床暖房構造体を得た。
【００２５】
＜床暖房試験＞
１５℃雰囲気下の室内に、実施例１、比較例１で得られた床暖房構造体を設置し、該床面表面中央にそれぞれ温度センサーおよび温度センサーの情報を基に温度を制御する温度制御装置を設置した。
床暖房試験として、温度制御装置により、電源ＯＮ‐ＯＦＦを切り替え、床面温度が３５度に一定に保たれるように設定した。この設定にて１２時間連続使用した時の蓄熱シート２の状態を側面から観察した。
その結果、実施例１の蓄熱シートでは、異常がみられなかったが、比較例１の蓄熱シートでは一部潜熱蓄熱材のブリードが見られた。
【図１】
0003172273.tif 000003
【図２】
0003172273.tif 000004